(57)【特許請求の範囲】
【請求項１】
車体フレームの外側にキャビンが取り付けられたキャビン付きフォークリフトにおいて、
前記キャビンの下部側面は、前記車体フレームの側面を覆うように設けられており、
前記キャビンの前面又は後面は、前記キャビンの下部側面と前記車体フレームの側面との間の空隙に対応する位置に、前記空隙にシムを挿入するためのシム挿入口である切欠きが設けられており、
前記車体フレームは、前記シムを固定するための第一及び第二の固定穴が設けられ、前記第一の固定穴は前記シム挿入口に対応する位置に設けられており、
前記シムは、細長薄板状であって、かつ、前記第一の固定穴と前記第二の固定穴にわたるように配置されて、前記第一の固定穴及び前記第二の固定穴でボルト固定されている、
シム取り付け構造。
【請求項２】
前記第一の固定穴及び前記第二の固定穴が、互いに上下方向に離間して設けられている、請求項１に記載のシム取り付け構造。
【請求項３】
前記第一の固定穴及び第二の固定穴の上下方向の中間に、シム位置調整用の開口が設けられている、請求項１又は２に記載のシム取り付け構造。
【請求項４】
車体フレームの外側にキャビンが取り付けられたキャビン付きフォークリフトにおいて、車体フレームとキャビンとの間にシムを取り付ける方法であって、
前記キャビンの下部側面は、前記車体フレーム側面を覆うように設けられており、
前記キャビンの前面又は後面は、前記キャビンの下部側面と前記車体フレームの側面との間の空隙に対応する位置に、前記空隙にシムを挿入するためのシム挿入口である切欠きが設けられており、
（１）細長薄板状の前記シムを、前記シム挿入口から前記空隙に挿入する工程、
（２）前記シムを、前記車体フレーム側面に設けられた第一の固定穴まで達するように挿入して、第一の固定穴でボルト固定する工程、
（３）前記（２）でボルト固定されたシムを、ボルト固定部を支点として回転させることによって、前記車体フレームの側面に設けられた第二の固定穴の位置に合うように位置調整する工程、
（４）前記（３）で位置調整されたシムを、前記第二の固定穴でボルト固定する工程を含む方法。
【請求項５】
前記第一の固定穴と第二の固定穴の近傍に、シム位置調整用の開口が設けられており、
前記工程（３）において、前記開口を通してシムの位置を目視しながら、位置調整を行う、請求項４に記載の方法。
【発明の詳細な説明】
【技術分野】
【０００１】
本発明は、キャビンを有するフォークリフトにおいて、車体フレームとキャビンとの間に挿入されるシムの取り付け構造に関する。
【背景技術】
【０００２】
フォークリフトの車体にキャビンを取り付けた、キャビン付きフォークリフトが公知である。例えば特許文献１には、冷蔵、冷凍の低温倉庫内で使用されるキャビン付きフォークリフトであって、車体後部の運転席を覆うように箱型のキャビンが車体と一体的に形成されたものが開示されている。特許文献１の発明は、キャビン付きフォークリフトにおけるキャビン内の結露を防止することを目的として、キャビン内部の金属桟等の金属が露出した箇所に、断熱材を貼着する発明である。特許文献１には、発泡材からなる断熱材を用いることで、断熱効果だけでなく振動吸収効果も得られたことが記載されている。しかしながら、キャビンと車体との具体的な取り付け構造に関しては特に言及されていない。
【０００３】
また特許文献２は、キャビン付きフォークリフトにおいて、キャビン内に配置されたバッテリーケースのメンテナンスを容易にすることを目的としている。特許文献２の発明は、バッテリーケースのカバーの横幅をバッテリーケースよりも小さくして、バッテリーケースのカバーと車体との間隙を大きくすることによって、カバーを引き上げたときにドアの把手等と干渉することなく、カバーを容易に大きく引き上げてメンテナンス作業を能率良く行うことができるものである。特許文献２には、車体上にキャビンが取り付けられていることが示されているが、車体とキャビンとの取り付け構造に関しては特に言及されていない。
【０００４】
上記のとおりキャビン付きフォークリフトにおいて、キャビンの断熱やキャビン内の配置については様々な検討がされている。しかしながら、キャビンと車体との取り付け構造については検討が進んでいなかった。
【先行技術文献】
【特許文献】
【０００５】
【特許文献１】特開２００１−１０６４９０号
【特許文献２】特許第３８７７１１４号
【発明の概要】
【発明が解決しようとする課題】
【０００６】
キャビンは、車体フレームの外部に車体を覆うように取り付けられ、ボルトによって車体フレームに固定される。組立性を向上させ、製作誤差を許容するために、キャビンと車体フレームとの間には隙間が設けられている。また、キャビンのガタツキやボルトの緩みを防止する等の目的で、ボルト固定箇所のキャビンと車体フレームとの隙間には、シムが挿入されている。従来、シムの取り付けは、車体フレームのボルト固定箇所の近傍に設けた穴から、車体フレームとキャビンとの隙間にシムを滑り込ませて、ボルト留めをすることによって行われていた。しかしながらこの方法では、手探りでシムを挿入せねばならず、キャビンや車体のレイアウトによっては車体フレームもしくはキャビンに大きな切欠きを設けねばならない、キャビンに大きな切欠きを設けた場合キャビンのデザインが悪くなる、特殊な形状のシムを準備せねばならないという問題があった。
【０００７】
本発明は上記の実情に鑑み、車体フレームもしくはキャビンに大きな切欠きを設けることなく、かつ、取り付け作業が容易で作業効率の良いシムの取り付け構造を提供することを目的とする。
【課題を解決するための手段】
【０００８】
発明者は上記課題を検討する中で、従来は１箇所の固定箇所に対して各１枚のシムを挿入していたところ、シムを細長い板状に変更し、１枚のシムを複数の固定箇所にわたして固定することによって、１箇所ごとにシムを挿入して位置を調整する必要がなくなり、作業効率が向上することや、シムを共通化して部品点数を低減できることを見出した。さらに発明者は、シム挿入穴について、従来、車体フレームに設けていたシム挿入穴を、キャビン壁面に設けた切欠きで代替することによって、シムをキャビンの外部から挿入することが可能となるため作業が簡単になり、また、車体フレームに大きな切欠きを設ける必要がないため、強度や断熱性の点でも有利であることを見出し、本発明に至った。
【０００９】
すなわち本発明は、
車体フレームの外側にキャビンが取り付けられたキャビン付きフォークリフトにおいて、
前記キャビンの下部側面は、前記車体フレームの側面を覆うように設けられており、
前記キャビンの前面又は後面は、前記キャビンの下部側面と前記車体フレームの側面との間の空隙に対応する位置に、前記空隙にシムを挿入するためのシム挿入口である切欠きが設けられており、
前記車体フレームは、前記シムを固定するための第一及び第二の固定穴が設けられ、前記第一の固定穴は前記シム挿入口に対応する位置に設けられており、
前記シムは、細長薄板状であって、かつ、前記第一の固定穴と前記第二の固定穴にわたるように配置されて、前記第一の固定穴及び前記第二の固定穴でボルト固定されている、
シム取り付け構造に関する。
【００１０】
また本発明は、前記第一の固定穴及び前記第二の固定穴が、互いに上下方向に離間して設けられていることが好ましい。
【００１１】
また本発明は、前記第一の固定穴及び第二の固定穴の上下方向の中間に、シム位置調整用の開口が設けられていることが好ましい。
【００１２】
また本発明は、車体フレームの外側にキャビンが取り付けられたキャビン付きフォークリフトにおいて、車体フレームとキャビンとの間にシムを取り付ける方法であって、
前記キャビンの下部側面は、前記車体フレームの側面を覆うように設けられており、
前記キャビンの前面又は後面は、前記キャビンの下部側面と前記車体フレームの側面との間の空隙に対応する位置に、前記空隙にシムを挿入するためのシム挿入口である切欠きが設けられており、
（１）細長薄板状の前記シムを、前記シム挿入口から前記空隙に挿入する工程、
（２）前記シムを、前記車体フレーム側面に設けられた第一の固定穴まで達するように挿入して、第一の固定穴でボルト固定する工程、
（３）前記（２）でボルト固定されたシムを、ボルト固定部を支点として回転させることによって、前記車体フレームの側面に設けられた第二の固定穴の位置に合うように位置調整する工程、
（４）前記（３）で位置調整されたシムを、前記第二の固定穴でボルト固定する工程を含む方法に関する。
【００１３】
また本発明は、前記第一の固定穴と第二の固定穴の近傍に、シム位置調整用の開口が設けられており、前記工程（３）において、前記開口を通してシムの位置を目視しながら、位置調整を行うことが好ましい。
【発明の効果】
【００１４】
従来は車体フレームに設けた穴から手探りでシムを挿入し、ボルト固定する作業が必要であったところ、本発明によれば、キャビンの外部からシムを見ながら挿入することが可能で、車体フレームにブラケットが溶接されている場合等でも支障なく挿入及び固定作業を行える。また本発明によれば、挿入したシムの一箇所を固定し、続いてその固定箇所を支点としてシムを回転させて、シムの他箇所を固定することができる。すなわち、シムの挿入及び固定作業が容易かつ効率的であり、作業者への負担が少ない。また、車体フレームにシム挿入用の穴を設ける必要がないため、強度及び断熱性に優れた車体フレームとすることができる。さらに、シムを共通化することが可能で部品点数が削減できるため、製造コストにおいても有利である。
【図面の簡単な説明】
【００１５】
【図１】キャビン付きフォークリフトの全体を示す後方斜視図。
【図２】荷役装置を除いたキャビン付きフォークリフトを示す前方斜視図。
【図３】前面パネルを除いたキャビン付きフォークリフトの拡大斜視図。
【図４】キャビンの前面に設けられたシム挿入口を示す図。
【図５】シムの取り付け手順を示す模式図。
【発明を実施するための形態】
【００１６】
以下、図面にもとづいて、本発明に係るキャビン付きフォークリフトのシム取り付け構造を説明するが、本発明は図面に示された実施形態に限定されるものではない。なお、本明細書においてフォークリフトやキャビンの側面とは、運転者からみて左手及び右手方向の側面を意味し、上下方向とは鉛直方向を意味する。
【００１７】
図１はキャビン付きフォークリフト１の全体を示す後方斜視図である。キャビン付きフォークリフト１の車体２の後部には運転席（不図示）が設けられている。運転席や駆動装置、バッテリー等の全体を覆うように箱型のキャビン３が車体２に取り付けられている。車体２の前部には左右一対のマスト４が立設されており、このマスト４の前面にはマスト４に沿って上下動するフォーク５が設けられている。マスト４の上部後面側、キャビン３の上方には商品等の落下物から車体やオペレーターを保護するためのガード６が設けられている。キャビン３の後面片側にはオペレーターが乗り降りするためのドア７が開閉自在に設けられている。なお、キャビン付きフォークリフト１の運転操作や機能は通常のフォークリフトと同様である。
【００１８】
図２は荷役装置を除いたキャビン付きフォークリフト１を示す前方斜視図である。キャビン３の上部の前面は透明の窓８でありキャビン内部の運転席（不図示）からの視界が確保されている。キャビン３の上部の左右側面は、金属桟９の設けられた窓である。キャビン３の下部の側面は、キャビン側面パネル１０で覆われている。キャビン側面パネル１０は下部側面の全体を覆い、その前端部は湾曲してキャビンの前面まで延在している。キャビン３の下部の前面には、前面カバー１１、及び、係止金具１２が配設されたバッテリー収納部１３が設けられている。前面カバー１１は取り外し可能であり、内部には主に駆動装置の配線類が収容されている。バッテリー収納部１３の内部には主にバッテリーが収容されている。キャビン側面パネル１０のボルト１４は、シムＬを介して、キャビン３と車体フレーム２０とを連結している（図５）。
【００１９】
図３は、前面カバー１１を取り外した、キャビン下部前面の拡大斜視図である。キャビン下部前面には実際には駆動装置の配線やブラケット等が配置されているが、理解容易のために省略している。フォークリフトの外部は全体的にキャビン３で覆われている。車体フレーム２０の外部にはキャビン側面パネル１０が重なり、車体フレーム２０に設けられた位置調整開口２３を通じて側面パネル１０が視認できる。キャビン側面パネル１０と車体フレーム２０の間には１〜４ｍｍ程度の空隙が存在している。
【００２０】
車体フレーム２０には、キャビンと車体フレームを固定する箇所である、固定穴２１、固定穴２２が設けられており（図５）、シムＬを介してキャビン側面パネル１０と車体フレーム２０とがボルト２４で固定されている。
【００２１】
キャビンの前面開口には周縁部１７が設けられている。周縁部１７は、側端部に上下方向に延在する切欠き１８を有している。切欠き１８は、車体フレーム２０とキャビン側面パネル１０との間の間隙に対応する位置に設けられている（図４に詳述）。またキャビン側面パネル１０の前端には凹部１６が形成されている。切欠き１８と凹部１６によって、キャビン前面には上下方向に延在する開口が形成されており、当該開口がシム挿入口Ｓとして用いられる。
【００２２】
シム挿入口Ｓの幅は、シムが挿入できれば特に制限はないが、２〜５ｍｍ程度とすることができる。またシム挿入口Ｓは、車体フレーム２０に設けられた固定穴２１に対応する位置に設けられている。すなわち、シム挿入口Ｓ及び固定穴２１は略同一の上下位置に設けられており、シム挿入口Ｓからシムを真っ直ぐに挿入すると、固定穴２１に達するようになっている。また別の態様として、シム挿入口Ｓを固定穴２１に対して上方又は下方に設けて、シム挿入口Ｓからシムを斜め下方又は上方に挿入することで固定穴２１に達するような構成とすることも可能である。シム挿入口Ｓの上下方向の長さは、シムを挿入して固定穴２１に達するようにできる限り特に制限されないが、例えば５０〜１５０ｍｍ程度とすることができる。
【００２３】
図４はキャビン前面の拡大図であり、キャビンに設けられたシム挿入口Ｓを着色で示している。図３と同様にキャビン３の前面カバー１１は取り外されている。また、キャビンの内部に位置する車体フレーム２０を点線で示している。キャビン側面パネル１０はその前端が湾曲してキャビン前面まで延在しており、キャビン前面パネルと連続している。また、キャビン側面パネル１０の端には凹部１６が形成されている。キャビンの前面の開口の周囲には周縁部１７が形成されており、周縁部１７の外端には切欠き１８が形成されている。
【００２４】
キャビン側面パネル１０の凹部１６、及び、キャビン前面に設けられた切欠き１８によって、シム挿入口Ｓ（着色部）が形成されている。シム挿入口Ｓは、車体フレーム２０とキャビン側面パネル１０との間の空隙に対応する位置に設けられているので、シム挿入口Ｓから、車体フレームとキャビン側面との間にシムを挿入することができる。
【００２５】
図５は、シムを挿入ないし固定する手順を模式的に示した図である。図５はフォークリフトのキャビン室内側から側方方向を見る図面であり、図面の右側がフォークリフトの前方を示す。シムＬは両端近傍にボルト貫通用の穴が形成された、細長薄板状の金属部材である。車体フレーム２０には予め、第一の固定箇所及び第二の固定箇所がボルト貫通用の穴２１、２２として形成されている。シムの長さ、幅、厚みは、シム挿入口Ｓから固定穴２１に達するように挿入することが可能で、さらに固定穴２１と固定穴２２にわたるように配置されうるものであれば特に制限されないが、例えば長さ２００〜３００ｍｍ、幅３０〜５０ｍｍ、厚み０．８〜３．２ｍｍ程度とすることができる。
【００２６】
取り付け工程において、まずシムＬは、シム挿入口Ｓを通じてキャビンの外部前方から、車体フレーム２０とキャビン側面パネル１０との間隙に挿入される（丸付き数字１の矢印）。シムＬを挿入していき、シムＬのボルト穴が、車体フレーム２０の固定穴２１まで達したところで、キャビン外部側面から、シムＬを介して車体フレーム２０までボルトを挿通し、締結する。これによってシムＬの一端が、第一の固定穴２１で固定される。
【００２７】
続いて、ボルト固定した箇所（第一の固定穴２１）を支点として、シムＬを下方に回転させる（丸付き数字２の矢印）。シムＬのボルト穴が第二の固定穴２２に達するまで位置を調整し、シムＬが第二の固定穴２２まで達したところで、キャビン外部側面からシムＬを介して車体フレーム２０までボルトを挿通し、締結する。車体フレーム２０には、位置調整用の開口２３が設けられており、開口２３を通じてシムＬの位置を目視しながら位置調整を行うことができる。必要に応じて、開口２３から工具や手を差し入れてシムＬを動かすことも好ましい。
【００２８】
シム位置調整用の開口２３は、図示された例では固定穴２１、２２の上下方向の中間に、斜めに形成された長方形の開口部であるが、第一の固定穴２１で固定されたシムＬを、第二の固定穴２２まで動かす際にシムＬが通過する軌跡上に設けられ、シムＬを目視ないし調整することが可能な開口であれば形状や大きさは特に制限されない。開口２３は例えば、弧状や扇形の開口でもよく、複数の開口であってもよい。
【００２９】
図示の例はキャビン前面にシム挿入口を設けていたが、同様の構成でキャビン後面にシム挿入口を設けることもできる。また、一枚のシムで固定される複数の固定箇所は、互いに上下方向に設けられていることが好ましいが、必ずしも鉛直方向上下でなくてもよい。
【符号の説明】
【００３０】
１  キャビン付きフォークリフト
２  車体
３  キャビン
４  マスト
５  フォーク
６  ガード
７  ドア
８  ガラス窓
９  桟
１０  キャビン側面パネル
１１  キャビン前面カバー
１２  係止金具
１３  バッテリー収納部
１４  ボルト
１６  凹部
１７  周縁部
１８  切欠き
２０  車体フレーム
２１、２２  固定穴
２３  位置調整用開口
２４  ボルト
Ｓ  シム挿入口
Ｌ  シム
【要約】
【課題】車体フレームもしくはキャビンに大きな切欠きを設けることなく、取り付け作業が容易で作業効率の良いシムの取り付け構造を提供すること。
【解決手段】車体フレームの外側にキャビンが取り付けられたキャビン付きフォークリフトにおいて、前記キャビンの下部側面は、前記車体フレーム側面を覆うように設けられており、前記キャビンの前面又は後面は、前記キャビンの下部側面と前記車体フレームの側面との間の空隙に対応する位置に、前記空隙にシムを挿入するためのシム挿入口である切欠きが設けられており、前記車体フレームは、前記シムを固定するための第一及び第二の固定穴が設けられ、前記第一の固定穴は前記シム挿入口に対応する位置に設けられており、前記シムは、細長薄板状であって、かつ、前記第一の固定穴と前記第二の固定穴にわたるように配置されて、前記第一の固定穴及び前記第二の固定穴でボルト固定されている、シム取り付け構造である。
【選択図】図３【図１】
0005733772.tif 000002
【図２】
0005733772.tif 000003
【図３】
0005733772.tif 000004
【図４】
0005733772.tif 000005
【図５】
0005733772.tif 000006